(57)【要約】【課題】可動刃の押圧ばねを移動させなくても可動刃と固定刃の噛み合わせ量を変更できるようにして、切断性能や耐久性の悪化を招来することなく刈り高さを調節することができる電動バリカンの刈り込み装置を提供する。【解決手段】バリカン本体２の先端部に取り付け可能な取付ベース７と、この取付ベース７に取り付けられた固定刃８と、この固定刃８の上面に左右方向に移動自在となるように重合されかつ前記バリカン本体２に設けられた駆動部材３が係合する係合部２１を有する可動刃９と、この可動刃９を固定刃８に対して押し付けるべく当該可動刃９に取り付けられた押圧ばね１０とを備えている電動バリカンの刈り込み装置において、前後方向に摺動自在なスライダ１６を取付ベース７に設け、このスライダ１６に固定刃８を連動連結し、そのスライダ１６を取付ベース７に対して前後方向に相対移動させる調節手段２７を設ける。【選択図】      図２
2004181124.tif 000002
【特許請求の範囲】
【請求項１】
バリカン本体（２）の先端部に取り付け可能な取付ベース（７）と、この取付ベース（７）に取り付けられた固定刃（８）と、この固定刃（８）の上面に左右方向に移動自在となるように重合されかつ前記バリカン本体（２）に設けられた駆動部材（３）が係合する係合部（２１）を有する可動刃（９）と、この可動刃（９）を前記固定刃（８）に対して押し付けるべく当該可動刃（９）に取り付けられた押圧ばね（１０）とを備えている電動バリカンの刈り込み装置において、
前後方向に摺動自在なスライダ（１６）が前記取付ベース（７）に設けられ、このスライダ（１６）に前記固定刃（８）が連動連結され、そのスライダ（１６）を前記取付ベース（７）に対して前後方向に相対移動させる調節手段（２７）が設けられていることを特徴とする電動バリカンの刈り込み装置。
【請求項２】
前記調節手段（２７）は、前記取付ベース（７）に回転自在に設けられかつその回転の偏心部分にスライダ（１６）が連動連結された中間ギア（２８）と、前記取付ベース（７）に移動自在に設けられかつ前記中間ギア（２８）に噛合するラック部（２９）を有する操作部材（３０）とから構成されている請求項１に記載の電動バリカンの刈り込み装置。
【請求項３】
操作部材（３０）は左右方向に移動自在となるように取付ベース（７）に設けられ、この取付ベース（７）の後部側へ突出する操作レバー（３５）を備えている請求項２に記載の電動バリカンの刈り込み装置。
【請求項４】
請求項１〜３のいずれかに記載の刈り込み装置（４）がバリカン本体（２）の先端部に取り付けられていることを特徴とする電動バリカン。
【発明の詳細な説明】
【０００１】
【発明の属する技術分野】
本発明は、頭髪その他の毛（動物用を含む。）を刈り取るために使用する電動バリカンとその刈り込み装置に関する。
【０００２】
【従来の技術】
従来より、可動刃と固定刃の噛み合わせ量を変更することで頭髪等の刈り高さを調節するようにした電動バリカンの刈り込み装置が知られている。
かかる刈り込み装置は、バリカン本体の先端部に取り付け可能な取付ベースと、この取付ベースに取り付けられた固定刃と、この固定刃の上面に左右方向に移動自在となるように重合されかつバリカン本体に設けられた駆動部材が係合する係合部を有する可動刃と、この可動刃を固定刃に対して押し付けるべく当該可動刃に取り付けられた押圧ばねと、可動刃と固定刃の前後方向における相対位置を調節するための調節手段とを備えている。
【０００３】
そして、上記従来の刈り込み装置では、調節手段は、取付ベースに回転自在に設けられた揺動レバーのピンに、前記押圧ばねのコイル部を巻き付けることによって構成されている。このため、バリカン本体に設けた操作部材によって揺動レバーを揺動させると、押圧ばねのコイル部が前後方向に移動し、これによって同押圧ばねに連結されている可動刃が固定刃に対して前後方向に相対移動するようになっている（特許文献１及び２参照）。
【０００４】
【特許文献１】
特開平１−１６６７９２号公報（第１図、第２図）
【特許文献２】
特開平５−３１７５３７号公報（図６）
【０００５】
【発明が解決しようとする課題】
従来の電動バリカンの刈り込み装置では、取付ベースに回転自在に設けた揺動レバーに押圧ばねのコイル部を連結し、この揺動レバーを揺動させて押圧ばねを動かすことで可動刃を前後方向に移動させているので、可動刃の前後方向への移動に伴って押圧ばねの弾性変形量が変化し、可動刃の固定刃に対する押圧力が変化するようになっている。
【０００６】
従って、従来の刈り込み装置では、頭髪等の刈り高さを調節する毎に可動刃の固定刃に対する押圧力が微妙に変化するようになっており、このため、頭髪等の刈り高さを調節した後において、可動刃の押圧力が過小になって切断性能が悪化したり、逆に、可動刃の押圧力が過大になって当該可動刃や固定刃の摩耗を増進させ、刈り込み装置の耐久性が悪化するという恐れがある。
【０００７】
本発明は、このような実情に鑑み、可動刃の押圧ばねを移動させなくても可動刃と固定刃の噛み合わせ量を変更できるようにして、切断性能や耐久性の悪化を招来することなく刈り高さを調節することができる電動バリカンとその刈り込み装置を提供することを目的とする。
【０００８】
【課題を解決するための手段】
上記目的を達成すべく、本発明は次の技術的手段を講じた。
すなわち、本発明は、可動刃と固定刃の前後方向における相対位置を変更することで頭髪等の刈り高さを調節するようにした電動バリカンの刈り込み装置において、前後方向に摺動自在なスライダが取付ベースに設けられ、このスライダに固定刃が連動連結され、そのスライダを前記取付ベースに対して前後方向に相対移動させる調節手段が設けられていることを特徴とする。
【０００９】
上記の本発明によれば、調節手段によりスライダを前後方向に移動させると、そのスライダに連動連結されている固定刃が取付ベースに対して前後方向に相対移動することになるので、可動刃やこれに連結されている押圧ばねを前後方向に移動させなくても、可動刃と固定刃の噛み合わせ量が変化して頭髪等の刈り高さを調節することができる。このため、頭髪等の刈り高さを調節した後に押圧ばねの弾性変形量が変化することがなくなるので、可動刃の押圧力が過小になって切断性能が悪化したり、逆に、可動刃の押圧力が過大になって当該可動刃や固定刃の摩耗が増進することもない。
【００１０】
本発明において、前記調節手段は、前記取付ベースに回転自在に設けられかつその回転の偏心部分にスライダが連動連結された中間ギアと、前記取付ベースに移動自在に設けられかつ前記中間ギアに噛合するラック部を有する操作部材とから構成することができる。
かかる調節手段によれば、操作部材を移動させると、中間ギアが回転し、同ギアの偏心部分に連動連結されているスライダが前後方向に移動する。このため、スライダに連動連結されている固定刃が取付ベースに対して前後方向に相対移動し、可動刃と固定刃の噛み合わせ量が変化することになる。
【００１１】
また、上記の調節手段において、操作部材は左右方向に移動自在となるように取付ベースに設けられ、この取付ベースの後部側へ突出する操作レバーを備えたものを採用することが好ましい。この場合、操作方向が左右方向である操作レバーが取付ベースの後部側に突出することになるので、当該操作レバーがバリカン本体の側部から飛び出して邪魔になることがなく、電動バリカンの刃先部分をコンパクトに構成することができる。
【００１２】
【発明の実施の形態】
以下、本発明の実施の形態を図面に基づいて説明する。
図１〜図６は、本発明に係る電動バリカン１とその刈り込み装置２の実施形態を示している。
図６に示すように、本実施形態の電動バリカン１は、半割れ状に分割された上下半体２Ａ，２Ｂを互いに接合してなる前後方向に長いほぼ中空円筒状のバリカン本体２と、このバリカン本体２の内部に収納された駆動源である電動モータ（図示せず。）と、この電動モータの出力軸に直結された偏心ピンよりなる駆動部材３と、バリカン本体２の前端部（図６の左端部）に設けられかつ駆動部材３によって左右方向に駆動される可動刃９を有する刈り込み装置４とを備えている。なお、バリカン本体２の上半体２Ａには、電動モータのスイッチ５が前後方向にスライド可能に取り付けられている。
【００１３】
図１〜図５に示すように、本実施形態の刈り込み装置４は、バリカン本体２の先端部に取り付け可能な取付ベース７と、この取付ベース７に取り付けられた固定刃８と、この固定刃８の上面に左右方向に移動自在となるように重合された可動刃９と、この可動刃９を固定刃８に対して押し付けるべく当該可動刃９に取り付けられた押圧ばね１０とを備えている。
【００１４】
このうち、前記取付ベース７は、左右一対の支持ブラケット１１が立設されたベース本体１２と、このベース本体１２の前端部から一体に突設されたベース枠体１３とを備えており、支持ブラケット１１間に架設した左右方向の支持シャフト１４に、前記押圧ばね１０のコイル部１５が外嵌されている。また、取付ベース７のベース本体１２の上面には、ほぼ横長矩形状のスライダ１６が前後方向に摺動自在に設けられている。
【００１５】
図３及び図４に示すように、上記スライダ１６の下面側の左右両端部には、ねじ筒体１７が一体に突設されている。この各ねじ筒体１７は、ベース本体１２に形成された前後方向に長い長孔よりなるスライド孔１８に収納され、この各ねじ筒体１７の先端部はそのスライド孔１８を介してベース本体１２の下面側に露出している。そして、同ベース本体１２の下面側に配置された固定刃８を表裏方向に貫通する固定ねじ１９を各ねじ筒体１７に螺合させることによって当該固定刃１９がスライダ１６に連動連結されており、これによって固定刃８がスライダ１６とともに取付ベース７に対して前後方向に移動自在となっている。
【００１６】
前記可動刃９は、バリカン本体２側の前記駆動部材（偏心ピン）３が間に挟まれた状態で係合する左右一対の立壁部よりなる係合部２１が上面に突設された硬質プラスチック製又は金属製の可動プレート２２と、この可動プレート２２の下面に固定された金属製又はセラミック製の刃本体２３とからなり、この刃本体２３の前端縁には櫛歯状の切断上刃２４が形成されている。また、前記固定刃８の前端縁には、その切断上刃２４が上から摺接する櫛歯状の切断下刃２５が形成されている。
【００１７】
前記押圧ばね１０は、支持シャフト１４に外嵌されたコイル部１５から延びる左右一対の押圧脚部２６を一体に備えており、この各押圧脚部２６の先端部を可動プレート２２に連結することにより、切断上刃２４が切断下刃２５に対して押圧された状態で、可動刃９が固定刃８の上面に左右方向に移動自在となるように重合されている。
本実施形態の刈り込み装置４は、更に、スライダ１６を取付ベース７に対して前後方向に相対移動させる調節手段２７を備えており、この調節手段２７は、取付ベース７に回転自在に設けられかつその回転の偏心部分にスライダ１６が連動連結された中間ギア２８と、同取付ベース７に移動自在に設けられかつ中間ギア２８に噛合するラック部２９を有する操作部材３０とから構成されている。
【００１８】
図３及び図４に示すように、前記ベース本体１２の下面中央部には、ほぼ円形の収納溝部３１が両スライド孔１８に挟まれた状態で形成されており、この収納溝部３１に前記中間ギア２８が回転自在に収納されている。
この中間ギア２８の偏心部分には径方向に長い長孔よりなるカム孔３２が形成され、このカム孔３２に、スライダ１６の下面中央部に突設されたカムピン３３が挿通されている。
【００１９】
また、前記ベース本体１２の下面後部側（図４の上部側）には、収納溝部３１に連通する左右方向に長いガイド溝部３４が形成されており、このガイド溝部３４に前記操作部材３０のラック部２９が収納されている。この操作部材３０は、ガイド溝部３４に左右方向にスライド自在に嵌め込まれた状態で中間ギア２８に噛合しているラック部２９と、このラック部２９の中央部から後方に一体に突設された操作レバー３５とから、ほぼＴ字状に形成されている。
【００２０】
このため、かかる操作部材３０の操作レバー３５を指で摘んでこれを左右いずれか一方に移動させると、中間ギア２８が回転して同ギア２８の偏心部分に連動連結されているスライダ１６が前後方向に移動し、これによって、そのスライダ１６に連動連結されている固定刃８が取付ベース７に対して前後方向に相対移動し、可動刃９と固定刃８の噛み合わせ量が変化するようになっている。
図２及び図５に示すように、操作レバー３５の内部には、位置決めボール３６とこれを前方へ付勢するコイルばね３７が収納され、このボール３６を取付ベース７の後端面に形成した位置決め凹部に強制的に嵌合させることにより、当該操作レバー３５の左右方向位置が間欠的に位置決めされるようになっている。
【００２１】
次に、上記構成に係る本実施形態の電動バリカン１及び刈り込み装置４の作用について説明する。
まず、本実施形態の電動バリカン１で頭髪等の刈り込みを行うには、前記スイッチ５をオンにしてバリカン本体２内の電動モータを作動さればよい。すると、その電動モータに直結されている駆動部材３が左右に揺動し、この駆動部材３が係合部２１を介して連動連結されている刈り込み装置４の可動刃９が固定刃８に対して左右方向にスライドし、切断上刃２４と切断下刃２５の間で頭髪等を切断できるようになる。
【００２２】
一方、上記刈り込み装置４による刈り込み高さを調節するには、操作レバー３５を指で摘んで左右いずれかに移動させればよい。
すると、前記したように、中間ギア２８の回転を介してその偏心部分に連動連結されているスライダ１６が前後方向に移動し、これによって固定刃８が取付ベース７に対して前後方向に相対移動することにより、可動刃９と固定刃８の噛み合わせ量が変化する。
【００２３】
このように、本実施形態の刈り込み装置４では、固定刃８が取付ベース７に対して前後方向に相対移動することによって、可動刃９と固定刃８の噛み合わせ量を変化させるようにしたので、可動刃９やこれに連結されている押圧ばね１０を前後方向に移動させなくても、可動刃９と固定刃８の噛み合わせ量が変化して頭髪等の刈り高さを調節することができる。
従って、従来のように、頭髪等の刈り高さを調節した後に押圧ばね１０の弾性変形量が変化するようなことがなく、このため、可動刃９の押圧力が過小になって切断性能が悪化したり、逆に、可動刃９の押圧力が過大になって当該可動刃９や固定刃８の摩耗が増進することもなくなる。
【００２４】
また、本実施形態の刈り込み装置４では、操作方向が左右方向となっている操作レバー３５が取付ベース７の後部側に突出した状態になっているので、当該操作レバー３５がバリカン本体２の側部から飛び出して邪魔になることがなく（図６参照）、このため、電動バリカン１の刃先部分をコンパクトに構成することができるという利点もある。
【００２５】
なお、上記した実施形態はすべて例示であって制限的なものではない。本発明の範囲は特許請求の範囲によって規定され、そこに記載された構成と均等の範囲内のすべての変更も本発明に含まれる。
例えば、前記調節手段２７は、前記中間ギア２８とラック部２９を有する操作部材３０の組み合わせよりなるラックアンドピニオン機構だけでなく、操作部材の操作力をカム機構やリンク機構を介してスライダ１６に伝達する構造を採用することもできる。
【００２６】
【発明の効果】
以上説明したように、本発明によれば、可動刃の押圧ばねを移動させなくても可動刃と固定刃の噛み合わせ量を変更できるので、切断性能や耐久性の悪化を招来することなく頭髪等の刈り高さを調節することができる。
【図面の簡単な説明】
【図１】電動バリカンの刈り込み装置の斜視図である。
【図２】図１のＡ−Ａ線断面図である。
【図３】図１のＢ−Ｂ線断面図である。
【図４】同刈り込み装置の固定刃を取り除いた状態の底面図である。
【図５】同刈り込み装置の分解斜視図である。
【図６】先端部分を断面で示した電動バリカンの側面図である。
【符号の説明】
１      電動バリカン
２      バリカン本体
３      駆動部材
４      刈り込み装置
７      取付ベース
８      固定刃
９      可動刃
１０      押圧ばね
１６      スライダ
２１      係合部
２７      調節手段
２８      中間ギア
２９      ラック部
３０      操作部材
３５      操作レバー
【図１】
2004181124.tif 000003
【図２】
2004181124.tif 000004
【図３】
2004181124.tif 000005
【図４】
2004181124.tif 000006
【図５】
2004181124.tif 000007
【図６】
2004181124.tif 000008